(57)【特許請求の範囲】
【請求項１】
クリンプ網（３１）の下方に揺動選別盤（３２）を設けたコンバインの脱穀装置において、
揺動選別盤（３２）は、上下２段に配設する前後フィードパン（３３）（３４）と、前フィードパン（３３）の後端側に上下揺動自在に設ける選別篩い線（３５）と、後フィードパン（３４）の後方に連設するチャフシーブ（３６）と、同チャフシーブ（３６）の下方に配設するグレンシーブ（３７）とを具備し、
前フィードパン（３３）は、前記クリンプ網（３１）の前半部下方に設け、
選別篩い線（３５）は、クリンプ網（３１）の前後幅中間下方でグレンシーブ（３７）前端よりも前方に配設し、
上下２段に配設した前フィードパン（３３）と後フィードパン（３４）との間に選別風を送給する送塵ファン（３８）と、前後方向に連設した後フィードパン（３４）とチャフシーブ（３６）の下方でかつグレンシーブ（３７）の上方、及び、グレンシーブ（３７）の下方にそれぞれ選別風を送給する唐箕（３９）を設けると共に、前記選別篩い線（３５）の上方に２番還元コンベア（４２）を介して２番還元物を還元するようにしたことを特徴とするコンバインの脱穀装置。
【発明の詳細な説明】
【０００１】
【発明の属する技術分野】
本発明は扱室内で脱穀処理された穀物をこの下方の揺動選別盤で選別処理するようにしたコンバインの脱穀装置に関する。
【０００２】
【発明が解決しようとする課題】
従来、例えば条刈り以上の大型多条刈取りなどによってチャフシーブ上面の穀粒の移動距離を長くしたり、または揺動選別盤の左右幅を大きく形成する必要があり、選別構造の小型コンパクト化並びに選別効率の向上などを容易に図り得ない等の問題がある。
【０００３】
【課題を解決するための手段】
然るに、本発明は、揺動選別盤にフィードパン及びチャフシーブを設けるコンバインの脱穀装置において、フィードパンの脱粒物の送り終端側と、チャフシーブの脱粒物の送り始端側の間に、フィードパンの下面側からチャフシーブの上面側に向けて選別風を送給させるもので、フィードパンからチャフシーブに移動途中の穀粒及び藁屑に選別風を作用させ、穀粒及び藁屑を揺動選別盤の幅方向に分散させ乍ら、下層側の藁屑及び塵を表層側に持上げるから、チャフシーブの選別効率の向上などを容易に行い得、選別処理能力の向上または穀粒収集効率の向上などを容易に図り得るものである。
【０００４】
【発明の実施の形態】
以下、本発明の実施例を図面に基づいて詳述する。図１は本発明に係る篩い線の側面図、図２はコンバインの全体側面図、図３は同平面図であり、図中（１）は走行クローラ（２）を装設するトラックフレーム、（３）は前記トラックフレーム（１）に架設する機台、（４）はフィードチェン（５）を左側に張架し扱胴（６）及び処理胴（７）を内蔵している脱穀部、（８）は刈刃（９）及び穀稈搬送機構（１０）などを備える刈取部、（１１）は刈取フレーム（１２）を介して刈取部（８）を昇降させる油圧シリンダ、（１３）は排藁チェン（１４）終端を臨ませる排藁処理部、（１５）は脱穀部（４）からの穀粒を揚穀筒（１６）を介して搬入する穀物タンク、（１７）は前記タンク（１５）の穀粒を機外に搬出する排出オーガ、（１８）は右側にドア（１８ａ）を有し、且つ、室内に運転操作部（１９）及び運転席（２０）を備える運転キャビン、（２１）は運転キャビン（１８）下方に設けるエンジンであり、連続的に穀稈を刈取って脱穀するように構成している。
【０００５】
図４及び図５に示す如く、前記キャビン（１８）への乗降用の上下二段の補助ステップ（２２）（２３）を備えるもので、前記ステップ（２２）（２３）の内側端部をキャビン（１８）のステップ（１８ａ）の機外側端部より機内側で回動支点軸（２４）によって機台（３）に回動自在に支持すると共に、上下の補助ステップ（２２）（２３）をロッド（２５）によって連結し、機台（３）に固着する上下のセット位置ストッパ（２６）と、ロッド（２５）と機台（３）間に張設する上段の補助ステップ（２２）の回動支点軸（２４）に対する支点超えバネ（２７）とによって上下の補助ステップ（２２）（２３）を実線で示すように、機体右側の最外側となるキャビン（１８）の右側面より内側で水平姿勢のセット位置に保持する一方、前記バネ（２７）と下側のセット位置ストッパ（２６）に一体形成する収納位置ストッパ（２８）とによって上下の補助ステップ（２２）（２３）を仮想線で示すようにキャビン（１８）の右側面より内側に折り立てた姿勢の収納位置に保持し、機体右側の最外側からの突起物をなくし、中割刈取作業時、及び機体右側に畦やコンクリート壁等がある場合、前記上下の補助ステップ（２２）（２３）が邪魔になるのを防止している。さらに前記上下の補助ステップ（２２）（２３）は平行リンク構造で同じ垂直姿勢の収納位置に収納するのではなく、下段の補助ステップ（２３）は垂直姿勢の収納位置に収納し、上段の補助ステップ（２２）は下段の補助ステップ（２３）の収納角（９０度）より小さい収納角となるように傾斜姿勢の収納位置に収納するもので、キャビン（１８）への乗降時に上下の補助ステップ（２２）（２３）の出入れを半開き状態の上段の補助ステップ（２２）を操作して、且つ足でも操作して行えるように構成している。
【０００６】
【課題を解決するための手段】
そこで、本発明では、クリンプ網の下方に揺動選別盤を設けたコンバインの脱穀装置において、揺動選別盤は、上下２段に配設する前後フィードパンと、前フィードパンの後端側に上下揺動自在に設ける選別篩い線と、後フィードパンの後方に連設するチャフシーブと、同チャフシーブの下方に配設するグレンシーブとを具備し、前フィードパンは、前記クリンプ網の前半部下方に設け、選別篩い線は、クリンプ網の前後幅中間下方でグレンシーブ前端よりも前方に配設し、上下２段に配設した前フィードパンと後フィードパンとの間に選別風を送給する唐塵ファンと、前後方向に連設した後フォードパンとチャフシーブの下方でかつグレンシーブの上方、及び、グレンシーブの下方にそれぞれ選別風を送給する唐箕を設けると共に、前記選別篩い線の上方に２番還元コンベアを介して２番還元物を還元するようにしたことを特徴とするコンバインの脱穀装置を提供するものである。
【０００７】
図１及び図８に示す如く、前記篩い線（３５）は断面丸形の線体（３５ａ）を門形に折曲形成して、選別盤（３２）の揺動軸（４６）に固設する篩い線受け（４７）に、選別盤（３２）の全巾に亘って各線体（３５ａ）を略等間に櫛歯状に固定させるもので、選別盤（３２）の左右側壁（３２ａ）（３２ｂ）間に回動自在に揺動軸（４６）を貫通支持させ、該揺動軸（４６）の篩い線受け（４７）に押え板（４８）及びボルト（４９）を介して篩い線（３５）の基端を挾着固定させている。
【０００８】
また前記揺動選別盤（３２）は図７に示すように後側のローラ（５０）を脱穀側板（５１）に揺動駆動軸（５２）及びクランク軸（５３）を介し回転自在に支持させると共に、左右脱穀側板（５１）の内側面に前低後高状に傾斜固設する断面コ形の揺動駆動ガイドレール（５４）に、選別盤（３２）前側のローラ（５５）を嵌合支持させて、前記駆動軸（５２）の回転時選別盤（３２）後側を該軸（５２）を中心とした円運動で、前側をガイドレール（５４）に沿う直線往復運動とさせて、上下幅が小さく前後幅が大きい楕円軌跡（５６）で選別盤（３２）を前後及び上下に揺動するように構成している。
【０００９】
そして、図１及び図８に示すように、前記揺動駆動ガイドレール（５４）とは別に左脱穀側板（５１）の内側面に前高後低状に傾斜固設する断面コ形の篩い線駆動ガイドレール（５７）に、前記篩い線（３５）の揺動ローラ（５８）を嵌合させるもので、前記揺動軸（４６）の左端に固設する揺動アーム（５９）の先端に長孔（６０）を介して揺動ローラ（５８）のローラ軸（６１）を係合支持させて、選別盤（３２）の揺動時、揺動ローラ（５８）をガイドレール（５７）に沿う直線往復運動とさせ、揺動アーム（５９）を軸（４６）を中心に揺動させて、前記篩い線（３５）を軸（４６）を中心とした上下揺動を行わしめるように構成している。
【００１０】
また、図６乃至図８に示す如く、前記送塵ファン（３８）は前フィードパン（３３）の下位置で唐箕（３９）の前方位置に設けるもので、唐箕（３９）の唐箕ケース（６２）前面と、前フィードパン（３３）の底部間を送塵ファン（３８）のファンケース（６３）で覆って、前後フィードパン（３３）（３５）間に送風口（６４）を開設する一方、前記唐箕（３９）の上方には後フィードパン（３４）を配設して、チャフシーブ（３６）とグレンシーブ（３７）間及びグレンシーブ（３７）下方にそれぞれ選別風を送給する送風口（６５ａ）（６５ｂ）を唐箕（３９）の上部及び後部に開設して、前記篩い線（３５）や直接的にクリンプ網（３１）から落下する穀物や塵に送塵ファン（３８）からの選別風を、またチャフシーブ（３６）やグレンシーブ（３７）から落下する穀物や塵に唐箕（３９）からの選別風をそれぞれ別個に作用させて選別性能の安定向上を図るように構成している。さらに、前記篩い線（３５）の上下篩い作用によって後フィードパン（３４）やチャフシーブ（３６）での穀粒と塵と藁屑の分散化を促進させることができると共に、篩い線（３５）上方に２番還元コンベア（４２）の還元口（４２ａ）を臨ませて、２番還元物の分散化も図って、限定された選別巾内で大容量の穀物の処理を有効に可能とさせるように構成したものである。
【００１１】
上記から明らかなように、上下２段に配設した前フィードパン（３３）と後フィードパン（３４）との間に選別風を送給させ、前フィードパン（３３）から後フィードパン（３４）に移動途中の穀粒及び藁屑に選別風を作用させ、穀粒及び藁屑を揺動選別盤（３２）の幅方向に分散させ乍ら、下層側の藁屑及び塵を表層側に持上げ、チャフシーブ（３６）の選別効率の向上などを行い、選別処理能力の向上または穀粒収集効率の向上などを図る。
【００１２】
上記から明らかなように、クリンプ網（３１）で下方を仕切る扱室（２９）に扱胴（６）を内設させ、脱穀排塵及び藁屑を機外後方に排出させる吸排塵ファン（４３）を扱胴（６）の後方で略同一高さに設け、扱胴（６）乃至吸排塵ファン（４３）の下方に揺動選別盤（３２）を設け、揺動選別盤（３２）下方で唐箕（３９）及び１番コンベア（４０）及び２番コンベア（４１）を前後に並設させ、唐箕（３９）の選別風を揺動選別盤（３２）のグレンシーブ（３７）下方からチャフシーブ（３６）を介して上方の吸排塵ファン（４３）に向けて送給するコンバインの脱穀装置において、クリンプ網（３１）の前半部下方に設ける揺動選別盤（３２）前部の前フィードパン（３３）後側に選別篩い線（３５）を取付け、クリンプ網（３１）前後幅中間下方でグレンシーブ（３７）前端よりも前方に選別篩い線（３５）を配設させ、扱胴（６）によって殆んど脱粒される穀粒がクリンプ網（３１）前部から下方の前フィードパン（３３）に落下して左右に均一分散されて後方移送され、穀粒落下量が少なくなるクリンプ網（３１）中間下方で選別篩い線（３５）によって藁屑を分離し乍ら前フィードパン（３３）の穀粒をチャフシーブ（３６）前部に移動させ、チャフシーブ（３６）前部及びグレンシーブ（３７）を介して穀粒を速やかに漏下させて効率良く収集し、揺動選別盤（３２）前部での穀粒選別効率の向上などを図る。
【００１３】
また、吸排塵ファン（４３）と篩い線（３５）の間でチャフシーブ（３６）前後幅中間上方に扱胴（６）後部を配設させ、扱胴（６）の脱穀によって発生する藁屑の大半を篩い線（３５）後方のチャフシーブ（３６）上面に落下させて速やかに機外に排出させ、フィードパン（３３）の穀粒に混在する藁屑の除去を篩い線（３５）によって適正に行わせることができ、選別損失の低減並びに選別効率の向上などを図ると共に、篩い線（３５）の前側下方から後側上方に送風するプレファンである送塵ファン（３８）をフィードパン（３３）下方に設け、側面視円形の外形状となる唐箕（３９）の斜前方上方に送塵ファン（３８）の取付スペースを確保し、揺動選別盤（３２）の前後幅内にコンパクトに送塵ファン（３８）を設置させる。
【００１４】
また、扱胴（６）前側面とフィードパン（３３）前端面と送塵ファン（３８）前側面を略面一に揃え、脱穀部（４）の前面を略垂直な平面状の壁面で形成し、脱穀部（４）の機筐構造の簡略化並びに不要空間の低減によるコンパクト化を図ると共に、送塵ファン（３８）とグレンシーブ（３７）の間でこれらの下方に唐箕（３９）を設け、送塵ファン（３８）上方にフィードパン（３３）を配置させてフィードパン（３３）の前後幅を確保し、かつグレンシーブ（３７）に唐箕（３９）を近接させて選別風を適正に送給し、揺動選別盤（３２）の左右幅を拡大することなく選別能力の向上などを図る。
【００１５】
また、１番コンベア（４０）の軸に対して高位置に設ける唐箕（３９）の軸よりも送塵ファン（３８）の軸をさらに高く位置させ、フィードパン（３３）とグレンシーブ（３７）の配置に必要な高低差を利用して揺動選別盤（３２）の下面側に送塵ファン（３８）を近接させて配置し、送塵ファン（３８）取付け構造のコンパクト化並びに簡略化を行うと共に、送塵ファン（３８）の軸と１番コンベア（４０）の軸を結ぶ直線上に唐箕（３９）を設け、側面視円形で大径の唐箕（３９）の斜前方上方に形成されるスペースに側面視円形で小径の送塵ファン（３８）をコンパクトに収納し、選別風供給構造の簡略化及びコンパクト化を図るもので、フィードパン（３３）前端とグレンシーブ（３７）前端の間でこれらの下方に送塵ファン（３８）と唐箕（３９）を前後に近接させて設け、フィードパン（３３）下面を送風ガイドとして送塵ファン（３８）から篩い線（３５）下側に送風し、フィードパン（３３）の前後幅を確保して揺動選別盤（３２）の左右幅縮少またはフィードパン（３３）上での穀粒の左右方向分散を図り、しかも唐箕（３９）とグレンシーブ（３７）の離反距離を適正に形成して唐箕（３９）の風選作用を適正に行わせる。
【００１６】
尚、篩い線（３５）を２番還元口（４２ａ）がある右側が若干高くなるように左右方向に勾配を付けることにより、２番還元物に機体左方向へ送りを与え、篩い線（３５）の全巾を有効に利用でき、被選別物の均平化が効果的に行えるので有効である。
【００１７】
【発明の効果】
本発明では、クリンプ網の下方に揺動選別盤を設けたコンバインの脱穀装置において、揺動選別盤は、上下２段に配設する前後フィードパンと、前フィードパンの後端側に上下揺動自在に設ける選別篩い線と、後フィードパンの後方に連設するチャフシーブと、同チャフシーブの下方に配設するグレンシーブとを具備し、前フィードパンは、前記クリンプ網の前半部下方に設け、選別篩い線は、クリンプ網の前後幅中間下方でグレンシーブ前端よりも前方に配設している。
このようにして、クリンプ網前部から下方の前フィードパンに落下した穀粒は、左右に均一分散されて後方へ移送され、穀粒落下量が少なくなるクリンプ網中間下方で選別篩い線によって藁屑を分離し乍ら前フィードパンの穀粒をチャフシーブ前部に移動させ、チャフシーブ前部及びグレンシーブを介して穀粒を速やかに漏下させて効率良く収集し、揺動選別盤前部での穀粒選別効率の向上などを図ることができる。
しかも、本発明では、上下２段に配設した前フィードパンと後フィードパンとの間に選別風を送給する唐塵ファンと、前後方向に連設した後フォードパンとチャフシーブの下方でかつグレンシーブの上方、及び、グレンシーブの下方にそれぞれ選別風を送給する唐箕を設けている。
このようにして、唐箕ファンにより、上下２段に配設した前フィードパンと後フィードパンとの間に選別風を送給させ、前フィードパンから後フィードパンに移動途中の穀粒及び藁屑に選別風を作用させることにより、穀粒及び藁屑を揺動選別盤の幅方向に分散させ乍ら、下層側の藁屑及び塵を表層側に持上げることができる。その結果、チャフシーブの選別効率の向上などを容易に行うことができて、選別処理能力の向上または穀粒収集効率の向上などを容易に図ることができる。
しかも、選別篩い線から落下する穀物や塵に送塵ファンからの選別風を、またチャフシーブやグレンシーブから落下する穀物や塵に唐箕からの選別風をそれぞれ別個に作用させることができるため、選別性能の安定向上を図ることができる。
さらには、前記選別篩い線の上下篩い作用によって後フィードパンやチャフシーブでの穀粒と塵と藁屑の分散化を促進させることができる。
そして、上下揺動自在に設けた選別篩い線の上方に２番還元コンベアを介して２番還元物を還元するようにしているため、上記選別篩い線により２番還元物の分散化を図ることができ、限定された選別巾内で大容量の穀物の処理を有効に行うことができる。
【図面の簡単な説明】
【図１】本発明に係る篩い線の側面図。
【図２】コンバインの全体側面図。
【図３】コンバインの全体平面図。
【図４】補助ステップの側面図。
【図５】補助ステップの正面図。
【図６】脱穀部の断面側面図。
【図７】選別部の断面側面図。
【図８】篩い線の平面図。
【符号の説明】
（３２）  揺動選別盤
（３３）  フィードパン
（３６）  チャフシーブ
【図１】
0003725812.tif 000002
【図２】
0003725812.tif 000003
【図３】
0003725812.tif 000004
【図４】
0003725812.tif 000005
【図５】
0003725812.tif 000006
【図６】
0003725812.tif 000007
【図７】
0003725812.tif 000008
【図８】
0003725812.tif 000009